【事件の表示】
　特許第３３７２６９２号「ポップアップ式ウェットティシュー包装体」の請求項１ないし７に係る特許に対する特許異議の申立てについて、次のとおり決定する。
【結　論】
　訂正を認める。
　特許第３３７２６９２号の請求項１ないし７に係る特許を維持する。
【理　由】
１．手続の経緯
　本件特許第３３７２６９２号発明についての出願は、平成７年１月２５日に特許出願され、平成１４年１１月２２日に特許権の設定登録がなされ、その後、持田孝雄より、請求項１ないし７に係る発明についての特許に対し特許異議の申立てがなされ、当審において平成１６年５月２７日付けで取消理由を通知したところ、その指定期間内の平成１６年８月１２日に意見書の提出を行うとともに訂正請求がなされ、平成１７年３月９日付けで訂正拒絶理由が通知され、平成１６年８月１２日に提出された訂正請求により請求された訂正事項の一部が削除された。
　
２．申立て理由の概要　
　異議申立人持田孝雄は、
甲第１号証として、特開平６−２９２６３９号公報
を提出して、本件請求項１〜３に係る発明は、甲第１号証に記載された発明であり、特許法第２９条第１項第３号に規定する発明である旨主張するとともに、
甲第２号証として、実願平５−３４２１号（実開平５−８１０８３号）のCD-ROM、
甲第３号証として、実公昭５６−４４６７８号公報、及び、
甲第４号証として、実願平３−１０１９０２号（実開平５−４４８５３号）のＣＤ−ＲＯＭ
を提出して、本件請求項１、２に係る発明は、甲第１号証、甲第２号証に記載された発明に基づいて、当業者が容易に発明をすることができたものであり、本件請求項３，５，６，７に係る発明は、甲第１号証〜甲第３号証に記載された発明に基づいて、当業者が容易に発明をすることができたものであるとともに、本件請求項７に係る発明は、甲第１号証〜甲第４号証に記載された発明に基づいて、当業者が容易に発明をすることができたものであるから、それら発明は、特許法第２９条第２項の規定により特許を受けることができない旨主張している。
  さらに、本件請求項１に記載の「・・さらに前記蓋部材の開口から突出した次のシートを該蓋部材に収納可能とした・・」は、どのようにして前記蓋部材の開口から突出した次のシートを同じ蓋部材に収納可能とするのか不明であり、本件請求項１の記載は、特許法第３６条第６項第２号に規定する要件を満たしていない旨主張している。
　
３．訂正請求について
３−１　特許権者が請求した訂正
　特許権者が求めている訂正は、後日訂正事項の一部が削除されているので、平成１７年５月１６日付け手続補正書に添付された訂正明細書のとおり訂正することを求めるものであり、訂正事項は以下のとおりである。
　
訂正事項１
　特許請求の範囲の請求項１に記載の「前記取出口の周縁面に取付けられ」を「前記取出口を上記包装体の頂面面積に対して０．２５〜５０％の大きさの円または楕円の形状としこの取出口の周縁面に取付けられ」と訂正し、同じく請求項１に記載の「ウェットティシュのシートが通過する開口を有する蓋部材」を「ウェットティシュのシートが通過する開口を有し、この開口に絞り効果を持たせないように構成した蓋部材」と訂正し、同じく請求項１に記載の「さらに開閉蓋が該取出口よりも大きく該頂面よりも小さくさらに前記蓋部材の開口から突出した次のシートを該蓋部材に収容納能とした」を「さらに前記蓋部材の開口から突出した次のシートを十分覆うことの可能な大きさとして該次のシートを該蓋部材内に収納可能にするスペースを設け、これを一体蓋により密封することで突出した次のシートを乾燥させることなくしかも該一体蓋を開ければ容易に次のシートが取出せる」と訂正することにより、請求項１の記載を
「 内部に収納したウェットティシュをポップアップ式に１シートずつ連続して取り出し可能な取出口と、該取出口を覆う繰り返し開封と密封の可能な開閉蓋とを頂面に有する軟包材の包装体において、前記取出口を上記包装体の頂面面積に対して０．２５〜５０％の大きさの円または楕円の形状としこの取出口の周縁面に取付けられかつウェットティシュのシートが通過する開口を有し、この開口に絞り効果を持たせないように構成した蓋部材および包装体からウェットティシュのシートを取り出す際には開けかつ閉じる際には残る突出した次のシートを収納して密封できる一体蓋を備え、前記の取出口が該取出口を通過するウェットティシュのシートに対して横段面内で絞り効果を有し、さらに開閉蓋が該取出口よりも大きく該頂面よりも小さくさらに前記蓋部材の開口から突出した次のシートを十分覆うことの可能な大きさとして該次のシートを該蓋部材内に収納可能にするスペースを設け、これを一体蓋により密封することで突出した次のシートを乾燥させることなくしかも該一体蓋を開ければ容易に次のシートが取出せることを特徴とするポップアップ式ウェットティシュ包装体。」
と訂正する。
　
３−２　訂正の適否の判断　
　訂正事項１は、特許明細書の特許請求の範囲の請求項１に記載された発明を特定するための構成を、特許明細書中に同構成に係る技術的事項として記載される事項により限定するものであるから、特許請求の範囲の減縮に該当するものであって、新規事項を追加するものではなく、しかも、実質上特許請求の範囲を拡張し、又は変更するものではない。
　
３−３　むすび
　上記訂正は、特許異議の申立がなされていない請求項に係るものではなく、以上のとおり、特許法第１２０条の４第２項及び同条第３項で準用する特許法第１２６条第２項及び第３項の規定に適合するので、当該訂正を認める。
　
４．　特許異議申立に対する判断 
４−１　明細書の記載について、
　３．に述べたとおり、請求項１に記載される「さらに開閉蓋が該取出口よりも大きく該頂面よりも小さくさらに前記蓋部材の開口から突出した次のシートを該蓋部材に収納可能とした」との記載は、「さらに前記蓋部材の開口から突出した次のシートを十分覆うことの可能な大きさとして該次のシートを該蓋部材内に収納可能にするスペースを設け、これを一体蓋により密封することで突出した次のシートを乾燥させることなくしかも該一体蓋を開ければ容易に次のシートが取出せる」と訂正されており、請求項１の記載は、蓋部材の開口から突出した次のシートを蓋部材内に設けたスペースに収納可能とすることを明確に記載されており、本件明細書の記載には、異議申立人が主張する記載の不備は認められない。
　
４−２　本件発明
　本件各発明は、特許請求の範囲の各請求項に記載された以下の事項により特定されるものである。 
「【請求項１】　内部に収納したウェットティシュをポップアップ式に１シートずつ連続して取り出し可能な取出口と、該取出口を覆う繰り返し開封と密封の可能な開閉蓋とを頂面に有する軟包材の包装体において、前記取出口を上記包装体の頂面面積に対して０．２５〜５０％の大きさの円または楕円の形状としこの取出口の周縁面に取付けられかつウェットティシュのシートが通過する開口を有し、この開口に絞り効果を持たせないように構成した蓋部材および包装体からウェットティシュのシートを取り出す際には開けかつ閉じる際には残る突出した次のシートを収納して密封できる一体蓋を備え、前記の取出口が該取出口を通過するウェットティシュのシートに対して横段面内で絞り効果を有し、さらに開閉蓋が該取出口よりも大きく該頂面よりも小さくさらに前記蓋部材の開口から突出した次のシートを十分覆うことの可能な大きさとして該次のシートを該蓋部材内に収納可能にするスペースを設け、これを一体蓋により密封することで突出した次のシートを乾燥させることなくしかも該一体蓋を開ければ容易に次のシートが取出せることを特徴とするポップアップ式ウェットティシュ包装体（以下、「本件発明１」という。）。 
【請求項２】 包装体の頂面の取出口の周縁面に、成形品からなる蓋部材を取付け該蓋部材に一体蓋を設けた請求項１記載のウェットティシュ包装体。
【請求項３】 包装体の頂面の取出口の周囲に、粘着剤または突起と嵌入孔との係合により蓋部材を取付ける請求項１または２記載のウェットティシュ包装体。
【請求項４】 包装体の頂面に、蓋部材を横方向にスライドさせて取付けるためのスライド溝部を貼着させ、これに周縁を段付きに形成した蓋部材をスライド挿入して包装体に取付ける請求項１または２記載のウェットティシュ包装体。
【請求項５】 蓋部材の両サイドに先端に小突起と受け孔からなる挟み込み片を設けた延長片を延設し、該挟み込み片を包装体の両側縁に予め形成した係止孔に嵌入して係止させる請求項１または２記載のウェットティシュ包装体。
【請求項６】 蓋部材にこれを包装材に取付けるためのバンドまたは鈎型弾性片を取付け、蓋部材が包装体の取出口を覆うように取付ける請求項１または２記載のウェットティシュ包装体。
【請求項７】 蓋部材が包装体の頂面に着脱自在に取付けられている請求項１から６までのいずれか１項記載のウェットティシュ包装体。」
　
　したがって、本件発明１は、「・・取出口と、・・この取出口の周縁面に取付けられかつウェットティシュのシートが通過する開口を有し、この開口に絞り効果を持たせないように構成した蓋部材・・を備え、前記の取出口が該取出口を通過するウェットティシュのシートに対して横段面内で絞り効果を有し、さらに開閉蓋が該取出口よりも大きく該頂面よりも小さくさらに前記蓋部材の開口から突出した次のシートを十分覆うことの可能な大きさとして該次のシートを該蓋部材内に収納可能にするスペースを設け、・・」ること（以下、「特徴構成」という。）をその構成の一部とし、本件発明１は、特徴構成を有することにより、包装体の頂面上の蓋部材内部に大きな収納スペースを構成し得るものと認められる。
 　 
４−３　対比判断　
４−３−１　本件発明１について、
　異議申立人が提出した甲第１号証（特開平６−２９２６３９号公報）には、次の事項が図面と共に記載されている。 
 (１)　「袋本体３は、包装袋１を主構成して、皮膚清拭用品２を内有している。袋本体３は、筒状の柔軟なフィルムの両端部を熱溶着して、袋本体３の左右両端部に位置する熱溶着部７を形成することで、袋状とされている。・・・」（段落番号【０００７】）
 (２)　「皮膚清拭用品２は、ウェットタイプのテイッシュとされて、水分、薬液、又は、油分を、紙又は不織布に含浸又は塗布して成るものとされている。各皮膚清拭用品２は、積層状とされると共に、上下に隣接する皮膚清拭用品２の上部と下部を内有するような形態で折り重ねられている。・・・」（段落番号【００１０】）
 (３)　「・・・袋本体３及び装備体４の取出口８，１０から、最も上位にある皮膚清拭用品２をつまみ出して、引出せば、皮膚清拭用品２を、取出口８，１０から一枚宛取出せると共に、一枚取出すと、次の一枚が、取出口８，１０から、外部に引張り出されることになる。この際、袋本体３に、袋本体３よりも硬質とされた装備体４が備えられ、この装備体４に取出口１０が形成されて、取出口１０の周辺部が硬質材料により形成されているので、包装袋１がフィルムにより主構成されているにもかかわらず、取出口１０から皮膚清拭用品２を取出し易い。」（段落番号【００１１】）
 (４）　「・・・蓋体５は、装備体４と同一材料により一体形成されている。・・・蓋体５は、ヒンジ部１５を中心として、上下方向に回動自在とされ、・・・装備体４の取出口１０を閉鎖する閉鎖位置と、・・・閉鎖位置から上方に回動されて、装備体４の取出口１０を開放する開放位置とに、位置変更自在とされている。」（段落番号【００１６】）
 (５）　「・・・図８〜図１０は本発明の第４実施例を示し、・・・皮膚清拭用品２の包装袋１は、使用前には、図８に示すように、皮膚清拭用品２を内有する袋本体３と、装備体４と蓋体５を有するアタッチメント３０とに分離されている。」（段落番号【００１７】）
 (６）　「・・・装備体４の両面接着テープ３５から剥離紙３６を剥離した後、図９及び図１０に示すように、アタッチメント３０を、両面接着テープ３５を介して、袋本体３上面における取出口８の周囲に接着する。（段落番号【００１９】）
 (７）　「・・・装備体４では、取出口１０及び突出口部１２等を含む中央部側が、外周部よりも、一段高くされる・・・」（段落番号【００１８】）、及び第９図には、取出口１０を経由し、取出口８と蓋体５の間に隙間が形成されている点が示されている。 
 　また、段落番号【００１３】において、第２図に記載の実施例の説明ではあるが、「・・・袋本体３の取出口８を閉鎖する際には、最上位の皮膚清拭用品２の上部側が、袋本体３の取出口８及び装備体４の取出口１０から外部に露出している。然しながら、・・・取出口１０とシール片１８間に隙間が形成されるので、袋本体３の取出口８を閉鎖する場合には、最上位の皮膚清拭用品２の上部側を装備体４の取出口１０とシール片１８間の隙間に収容できる。従って、最上位の皮膚清拭用品２の上部側が、袋本体３の取出口８の閉鎖に支障を及ぼすことはない。そして、皮膚清拭用品２を使用しない場合には、上記のように、袋本体３の取出口８を閉鎖すれば、皮膚清拭用品２の乾燥や、包装袋１内への雑菌の侵入等を防止できる。」と記載されており、第９図において、突出口部１２を含んで形成される、装備体４の取出口１０を経由する取出口８と蓋体５の間の隙間も、最上位の皮膚清拭用品２の上部側を収容できるものであると認められる。
 (８)　第９図及び第１０図には、取出口８の開口が、皮膚清拭用品２より明らかに小さいことが示されており、取出口８は通過する皮膚清拭用品２に対して横段面内で絞り効果を有するものと認められる。 
  　これらの記載事項によると、甲第１号証には、
内部に収納した皮膚清拭用品２をポップアップ式に１シートずつ連続して取り出し可能な取出口８と、該取出口８を覆う繰り返し開封と密封の可能な蓋体５とを頂面に有する柔軟なフィルムで形成された袋本体３において、前記取出口８の周縁面に取付けられかつ皮膚清拭用品２のシートが通過する、絞り効果を有する取出口１０が設けられた突出口部１２によって囲まれる開口を有する装備体４および袋本体３から皮膚清拭用品２のシートを取り出す際には開けかつ閉じる際には残る突出した次のシートを収納して密封できる蓋体５を備え、前記の取出口８が該取出口８を通過する皮膚清拭用品２のシートに対して横段面内で絞り効果を有し、さらに蓋体５が該取出口８よりも大きく該頂面よりも小さくさらに前記装備体４の開口から突出した次のシートを該装備体４内に収納可能としたことを特徴とするポップアップ式皮膚清拭用品２の包装袋。
が記載されている。 
 　しかしながら、甲第１号証記載の発明は、蓋体５内部に、次のシートを収納するものの、併せて、絞り効果を有する取出口１０が配置されるものであり、蓋体５内部に大きな空間を形成することを開示又は示唆するものではないので、本件発明１の特徴構成を開示も示唆もなしていない。
　
　甲第２号証が、絞り効果を有する取出口を開示するとしても、その上部に大きな収納空間を形成する蓋部材との関係から、絞り効果を有する取出口と絞り効果を有しない開口を有した蓋部材とを組み合わせることを開示又は示唆するものではなく、甲第３，４号証に異議申立人の主張する開示があるとしても、甲第２〜４号証は、本件発明１の特徴構成を開示または示唆するものではない。
　したがって、本件発明１の構成の一部を開示も示唆もなさない甲各号証に記載された発明とすることはできず、更に、それらをもって、本件発明１を当業者が容易に発明をすることができたとすることもできない。
　
４−３−２　本件請求項２〜７にかかる発明について
　本件請求項２〜７に係る発明は、本件発明の全構成をその構成の一部とするものであり、４−３−１に述べた理由により、本件請求項２〜７に係る発明を、それら発明の構成の一部を開示も示唆もなさない甲各号証に記載された発明とすることはできず、更に、それらをもって、当業者が容易に発明をすることができたとすることもできない。
　
４−３−３　当審で通知した取消理由について
　当審で通知した取消理由は、異議申立人が主張する理由以上のものではなく、同理由をもって、本件請求項１〜７に係る発明についての特許を取り消すことはできない。
　
５．　むすび
　上述のとおり、異議申立人の提出した証拠証拠及び理由によっては、本件請求項１に係る発明を取り消すことはできない。また、他に、本件請求項１〜７に係る発明についての特許を取り消すべき理由を発見しない。
　
　よって、結論のとおり決定する。
【異議決定日】
平成１７年１１月７日（２００５．１１．７）
【訂正の要旨】
審決（決定）の【理由】欄参照。
（５４）【発明の名称】
ポップアップ式ウェットティシュー包装体
（５７）【特許請求の範囲】
　【請求項１】内部に収納したウェットティシュをポップアップ式に１シートずつ連続して取り出し可能な取出口と、該取出口を覆う繰り返し開封と密封の可能な開閉蓋とを頂面に有する軟包材の包装体において、前記取出口
を上記包装体の頂面面積に対し０．２５〜５０％の大きさの円または楕円の形状としこの取出口
し、この開口に絞り効果を持たせないように構成した
十分覆うことの可能な大きさとして該次のシートを
にするスペースを設け、これを一体蓋により密封することで突出した次のシートを乾燥させることなくしかも該一体蓋を開ければ容易に次のシートが取出せる
　【請求項２】包装体の頂面の取出口の周縁面に、成形品からなる蓋部材を取付け該蓋部材に一体蓋を設けた請求項１記載のウェットティシュ包装体。
　【請求項３】包装体の頂面の取出口の周囲に、粘着剤または突起と嵌入孔との係合により蓋部材を取付ける請求項１または２記載のウェットティシュ包装体。
　【請求項４】包装体の頂面に、蓋部材を横方向にスライドさせて取付けるためのスライド溝部を貼着させ、これに周縁を段付きに形成した蓋部材をスライド挿入して包装体に取付ける請求項１または２記載のウェットティシュ包装体。
　【請求項５】蓋部材の両サイドに先端に小突起と受け孔からなる挟み込み片を設けた延長片を延設し、該挟み込み片を包装体の両側縁に予め形成した係止孔に嵌入して係止させる請求項１または２記載のウェットティシュ包装体。
　【請求項６】蓋部材にこれを包装材に取付けるためのバンドまたは鈎型弾性片を取付け、蓋部材が包装体の取出口を覆うように取付ける請求項１または２記載のウェットティシュ包装体。
　【請求項７】蓋部材が包装体の頂面に着脱自在に取付けられている請求項１から６までのいずれか１項記載のウェットティシュ包装体。
【発明の詳細な説明】
　【０００１】
　【産業上の利用分野】
　本発明は、ポップアップ式ウェットティシュー包装体に関するものであり、特に簡単な構造で連続してポップアップ式に１シートずつ連続して取り出し可能なものである。
　【０００２】
　【従来の技術】
　従来、ポップアップ式にウェットティシューを１シートずつ連続して取り出し使用しない時にはその取り出し穴を通しての内部のウェットティシューの乾燥を防止するために該取り出し穴を密封できる構造のものとしては、例えばウェットティシューのシートを上下で重ね合わせる際に、これらシート（Ｓ）を図１に示すようなＶ折りもしくは図２に示すようなＺ折りとしたウェットティシュー積層体を収納した軟包材からなる包装体と、該包装体を収納してポップアップ式にウェットティシューを１シートずつ連続して取り出せるような種々の複雑形状に形成した取り出し穴を有する樹脂成形体等からなる硬質の蓋付き箱の２部材からなっているものがあった。そしてこれを使用する際には該包装体の頂面にシート取り出し用の開口を明けこれを該蓋付き箱内に収め、上記の取り出し穴から１枚目のシートを引き出しておくものである。
　【０００３】
　また軟包材からなる包装体だけからなる例としては、図３に示すように包装体（１）の頂面に取出口（２）を形成し、一端部ａを頂面に固着し、他端部ｂを該取出口（２）を密封できるように粘着剤により開閉自在に取り付け、内部に上記のウェットティシュー積層体を収納したものがある。
　さらには軟包材の包装体の取出口の内側に硬質プラスチック製の取出部を固着したものもある。
　【０００４】
　【発明が解決しようとする課題】
　前者のポップアップ式のウェットティシュー取り出し構造体は、蓋付き箱の内部に収める包装体を交換することにより該蓋付き箱は何度でも使用可能な利点を有するが、硬質の蓋付き箱は重量や体積が大きいため扱いにくく、特に外出時に携帯するには大変不便であった。またこのように完全な箱体でしかも蓋付きの部材を樹脂成形加工で製造するのはコスト高であった。
　また後者の軟包材の包装体だけからなるものは片手だけでは十分にポップアップ機能を果たせない場合があり、使い勝手が良くなかった。
　また硬質の取出部を有するものは構造が複雑で且つコストが高い等の欠点があった。
　【０００５】
　【課題を解決するための手段】
　本発明はこのような不具合に対処するために、安価で簡単な構造のポップアップ式ウェットティシュー包装体を提供するものである。
　【０００６】
　即ち本発明の包装体の一つは、内部に収納したウェットティシューをポップアップ式に１シートずつ連続して取り出し可能な取出口と、該取出口を覆う繰り返し開封と密封の可能な開閉蓋とを頂面に有する包装体において、取出口が該取出口を通過するウェットティシューのシートに対して横面内で絞り効果を有し、さらに開閉蓋が該取出口よりも大きく該頂面よりも小さく且つ該取出口から突出した次のシートを十分覆うことの可能な大きさであることを特徴とするものであり、この際取出口周面部に補強フィルムを貼着するのは有効であって、該補強フィルムとして板状の重りを用いるのはよりよい。また板状の重りを該包装体の内側底面又は外側底面に設けるのも効果がある。
　【０００７】
　また本発明包装体の他の一つは、内部に収納したウェットティシューを１シートずつ取り出す取出口を頂面に形成し、該取出口を覆う開閉自在な一体蓋を有し且つ取り出すシートが通過する開口を設けた蓋部材を該頂面に着脱自在に設け、さらに該開口から突出した次のシートを該蓋部材に収容可能としたことを特徴とするものであり、この場合取出口を該取出口を通過するウェットティシューのシートに対して横面内で絞り効果を有するものとする。
　【０００８】
　【作用】
　本発明では包装体内に収納するウェットティシューシートの積層体は、従来と同様にシートをＶ折りやＺ折りで積み重ねるか、もしくは一定間隔で横方向にミシン目を有する一連のシートを折り畳んだ構造のもの等、１シート毎に次のシートと係合しあって連続的に取り出せるように構成したものであればよい。
　本発明包装体の取出口は取り出すシートに対して断面絞り効果を有する形状であればどのような形状でもよく、例えば正方形、長方形、菱形、円、楕円等適宜形状を選択できる。また該取出口の開口面積は収納した積層体のシートの重なり程度やシートの大きさ等により、該包装体の頂面面積に対して０．２５〜５０％の大きさとすることができる。
　【０００９】
　また開閉蓋は、一般的には一端部が頂面上に固定され、他端部で該取出口を繰り返し開封と密封が可能なように他端面に粘着剤を付着させてある。従って該開閉蓋は取出口よりも面積が大きければよいことになるが、シートを取り出した際に該取出口に残る突出した次のシートを確実に覆うことができなければ、該シートは乾燥してしまう。従って開閉蓋の大きさは取出口よりも大きく該頂面よりも小さく且つ該取出口から突出した次のシートを十分覆うことの可能な大きさであることが必要である。
　【００１０】
　また取出口周面部に補強フィルムを貼着することにより、開閉蓋の開封時に該取出口周囲のゆがみを防止することができ、さらに補強効果により取出口を通過するシートに対して通過抵抗が増すので上記絞り効果が向上し、取出口の開口面積を大きくすることができる。このように取出口開口面積を大きくできれば、シートを取り出す際や突出した次のシートを戻す際にもハンドリング性が向上する。
　補強フィルムを貼着することで取出口の開口面積は包装体頂面の面積に対して０．５〜７０％の大きさとすることができる。
　さらに補強フィルムとして板状の重量物を用いれば、下記に示す効果も同時に付与することができる。
　【００１１】
　板状の重りは、包装体内にウェットティシューのシートが残り少なくなってくると取り出し時に該包装体が踊ったり、一緒に持ち上がったりするが、これを防止するためである。該重りの重量は該包装体の包装袋と内容物を合計した重量の５％以上１００％以下とする。
　そして該重りを板状とすることで、これを包装体の底面の内面側や外面側に固定したり、又は着脱自在に貼着したりすることが容易となる。さらに補強フィルムに代えて取出口周面の内側や外側に設けてもよい。
　【００１２】
　また本発明の他のものは、ウェットティシューのシート積層体を収納する包装体に上記の絞り効果を持つ取出口を形成し、該取出口を覆うような大きさの蓋部材を着脱自在に設けた包装体である。該取出口が絞り効果を持ち該蓋部材のシート通過開口に上記の絞り効果は持たせないように構成することにより、シートを１枚ずつ分離して連続的に取り出すことができる。
　【００１３】
　さらに該蓋部材内に該シート通過開口から突出した次のシートを収容可能にする凹部等のスペースを設け、これを一体蓋により密閉することで突出した次のシートを乾燥させることがなく、しかも該一体蓋を開ければ容易に次のシートを取り出せる。またこのような蓋部材は樹脂成形加工により得られる他、板金加工等によっても得られ、何れにしてもある程度の重量のある部材であるため、上記の重りの効果も併せ持つ利点がある。
　この蓋部材は包装体の頂面に粘着剤等で着脱自在に取り付けることができるが、他の手段としてゴムバンドを用いて取り付けたり、蓋部材下面に鉤状のフックを設けてこれを包装体に差し込むように構成することもできる。
　【００１４】
　【実施例】
　次に本発明の実施例に対して図面により説明する。
　実施例１〜実施例４は夫々参考例を示し、実施例５〜実施例１１は図１２〜図１９に対応した本発明の実施例を示している。
　【００１５】
（実施例１）
　図４に示すように厚さ０．１ｍｍのポリエチレン製軟包材からなる包装体（１）にその頂面の面積の１０％の大きさの略長方形開口の取出口（２）を形成し、さらに該頂面の面積の９５％の大きさのフィルム状開閉蓋（３）を該頂面に貼着した。
　またこの場合図５に示すように本体の全重量に対して約３０％の重さの板状の重り（４）を該包装体（１）内であってシート積層体（５）の下側に設置した。該重り（４）は軟包材の内側に接着固定させてもよいし、単に装入させておくだけでもよい。
　なおこのような重り（４）は図６に示すように軟包材の下部外面に接着固定することもできる。
　そして図７に開閉蓋（３）を開けて内部のウェットティシューの１シートを取り出した後の状態を示す。次のシートが突出しているが該開閉蓋（３）を閉じることでこの突出シート（６）は十分に密封できた。また片手でシートを１枚ずつ連続的にポップアップできた。
　【００１６】
（実施例２）
　図８は実施例１の取出口（２）の形状を略楕円形としたものである。
　【００１７】
（実施例３）
　図９及び図１０は開閉蓋（３）の大きさは実施例１のものと同じであるが、開閉する方向を変えたものである。
　【００１８】
（実施例４）
　図１１は実施例１と同じ開閉蓋（３）を用いるが、該開閉蓋（３）を貼着する頂面の取出口（２）周面部に厚さ０．２ｍｍの塩化ビニル製補強フィルム（７）を固着した。この場合は取出口（２）の大きさを頂面の面積の２０％にまで増加させてもシートの取り出し時に取出口（２）の変形は小さく、しかも片手でポップアップ式にウェットティシューシートを取り出せる。
　【００１９】
（実施例５）
　図１２は軟包材からなるウェットティシューの包装体（１）の頂面の取出口（２）の周縁面に粘着剤（８）を付着させ、該粘着剤（８）に樹脂成形品からなる蓋部材（９）を着脱自在に設けた例である。該蓋部材（９）には包装体（１）からウェットティシューのシートを取り出す際に開け、閉じる際には本体に残る突出した次のシートを収納して密封できる一体蓋（１０）を設けた。またこの蓋部材（９）にはウェットティシューのシートが通過する開口が設けられている。そして包装体（１）の取出口（２）を、取り出すシートに対して横面内で絞り効果を有する形状とした。
　またこの蓋部材（９）は重量が１００ｇあり、包装体本体の３００ｇに対して３３％であって十分重し効果を有する。
　【００２０】
（実施例６）
　図１３（ａ）（ｂ）は他の例で使用する蓋部材（９）であり、該蓋部材（９）の裏面に４個の差し込み突起（１１）を設けたものである。この蓋部材（９）は図１４に示すように包装体（１）の取出口（２）周囲に予め設けた小孔（１２）に差し込んで取り付けたり、又は該小孔（１２）がない場合はその位置に直接差し込んで取り付けてもよい。なおこの場合頂面には補強フィルム（５）を貼着して、該蓋部材（９）が脱落しずらいようにした。
　【００２１】
（実施例７）
　次の例は実施例６に対して逆の構造とした。即ち図１５に示すように包装体（１）側に本体突起（１３）を形成しておき、蓋部材（９）側には該突起（１３）を嵌め入る嵌入孔（１４）を形成しておく。この場合は該本体突起（１３）に該嵌入孔（１４）を係合させることにより該蓋部材（９）を包装体（１）に取り付けるものである。
　【００２２】
（実施例８）
　図１６のものは包装体（１）の頂面に、蓋部材（９）を横方向にスライドさせて取り付けるためのスライド溝部（１５）を貼着させたものである。この場合は蓋部材（９）の周縁を段付きに形成して該スライド溝部（１５）にスライド挿入して蓋部材（９）を包装体（１）に取り付ける。
　【００２３】
（実施例９）
　図１７は蓋部材（９）の両サイドに延長片（１６）を延設してその先端に小突起（１７）と受け孔（１８）からなる挟み込み片（１９）を設け、該挟み込み片（１９）を包装体（１）の両側縁の予め形成した係止孔（２０）に嵌入して係止させることによって、該蓋部材（９）を包装体（１）に取り付ける構造のものである。
　【００２４】
（実施例１０）
　図１８は蓋部材（９）に、先端にマジックテープ（２１）を設けたバンド（２２）を取り付けた例である。この場合は蓋部材（９）をそのシート通過開口が包装体（１）の取出口（２）を覆うように被せてマジックテープ（２１）で取り付ける。
　【００２５】
（実施例１１）
　図１９は蓋部材（９）に１対の鉤型弾性片（２３）を取り付けた例である。この場合は該鉤型弾性片（２１）で包装体（１）の側面を挟持して該蓋部材（７）を取り付けるものである。
　【００２６】
　上記いずれの蓋部材も包装体本体に着脱自在であるため、何度でも再利用可能である。
　【００２７】
　【発明の効果】
　このように本発明によれば、簡単な構造で容易にポップアップ式ウェットティシュー包装体が得られ、携帯性や使い勝手に優れる等の効果を有する。
【図面の簡単な説明】
　【図１】
　ウェットティシューのＶ折りの状態を示す説明図である。
　【図２】
　ウェットティシューのＺ折りの状態を示す説明図である。
　【図３】
　従来例を示す斜視図である。
　【図４】
　本発明の実施例１を示す斜視図である。
　【図５】
　本発明の重り内蔵の実施例を示す側断面図である。
　【図６】
　本発明の重り外付けの実施例を示す側断面図である。
　【図７】
　実施例１の使用状態を示す斜視図である。
　【図８】
　本発明の実施例２を示す斜視図である。
　【図９】
　本発明の実施例３を示す斜視図である。
　【図１０】
　同上の斜視図である。
　【図１１】
　本発明の実施例４を示す斜視図である。
　【図１２】
　本発明の実施例５を示す斜視図である。
　【図１３】
　本発明の実施例６の蓋部材を示すもので、（ａ）は斜視図（ｂ）は側面図である。
　【図１４】
　本発明の実施例６の包装体を示す斜視図である。
　【図１５】
　本発明の実施例７を示す斜視図である。
　【図１６】
　本発明の実施例８を示す斜視図である。
　【図１７】
　本発明の実施例９を示す斜視図である。
　【図１８】
　本発明の実施例１０を示す斜視図である。
　【図１９】
　本発明の実施例１１を示す斜視図である。
　【符号の説明】
　１　包装体
　２　取出口
　３　開閉蓋
　４　板状重り
　５　シート積層体
　６　突出シート
　７　補強フィルム
　８　粘着剤
　９　蓋部剤
　１０　一体蓋
　１１　差し込み突起
　１２　小孔
　１３　本体突起
　１４　嵌入孔
　１５　スライド溝部
　１６　延長片
　１７　小突起
　１８　受け孔
　１９　挟み込み片
　２０　係止孔
　２１　マジックテープ
　２２　バンド
　２３　鉤型弾性片